(57)【要約】      （修正有）【課題】ポリ袋を開いた状態で自立させ、一人で落ち葉やごみを投入でき、落ち葉が詰まったポリ袋を横から簡単に取り出すことができ、使用後に折りたためば使用時の１／１０の容積で保管できるポリ袋スタンドを提供する。【解決手段】ポリ袋４を固着するためのピンチ５を備えた上部リング１と下部リング２とを支柱３を介して一体化し、上下リングの一部にア−ムサポ−ト部材を装着し支柱に装着した軸受蝶番７を介して回動できる機能を持たせるとともに、支柱の上下にア−ムサポ−トアングルを装着して上下リングを水平に固定できる機能を持たせた。【選択図】図１
0003212157.tif 000002
【実用新案登録請求の範囲】
【請求項１】
ポリ袋をセットする上部リングとポリ袋を上部リング固着するための複数個のピンチと支柱を介して下部リングと一体化したポリ袋スタンド
【請求項２】
上部リング及び下部リングの一部にリングを回動できる部材を装着しポリ袋スタンドをそれぞれ２７０度回動して折りたたみできる機能と、上部リング及び下部リングを左右に動かすことにより、上部リング及び下部リングを水平に維持・固定できることを特徴とする請求項１に記載されたポリ袋スタンド。
【考案の詳細な説明】
【技術分野】
【０００１】  本考案は、ごみをポリ袋に入れるとき、立ったまま容易にごみを投入できるポリ袋スタンドに関するものである。
【背景技術】
【０００２】  ごみをポリ袋に入れるとき、地面にポリ袋の口を開いておいてごみを入れるか、二人がかりで片方の人が両手を使ってポリ袋の入れ口を開いてみを入れたりして、ごみ入れに苦労している。
【考案の開示】
【考案が解決しようとする課題】
【０００３】  本考案は、一人で作業ができるように、ポリ袋を開いてごみを投入し、且つ容易にポリ袋を取り出せる構造であることと、ポリ袋スタンドを収納するとき、折りたためて保管スペ−すを取らない構造をも持たせることを目的にしている。
【課題を解決するための手段】
【０００４】    本考案は、上記の課題を解決するために、ここでは市販の４５リットルのポリ袋を例に、説明する。
上部のリングの大きさは、４５リットルのポリ袋の内周より少なめにして、ポリ袋の上部を折り返せるようにした。ポリ袋を上部のリングに固定するため、５個のピンチで固定する。支柱の高さは、ポリ袋の高さより少なめにした。
下部リングの大きさは、ポリ袋スタンドが安定しできる大きさとし、且つごみの入ったポリ袋の重みを利用しポリ袋スタンドが安定できるように、十字渡り部材を用意した。十字渡り部材の代わりに、円盤の網を溶着することでもよいことは、自明のことである。【０００５】    上部リングの一部に、ア−ムサポ−ト部材が溶着されていて当該ア−ムサポ−トの一部が、軸受蝶番を介して支柱に回動自在に取り付けられている。
上部リングを回転させると、ア−ムサポ−トの水平部分がア−ムサポ−トアングルに接触して、上部リングが水平に保持される。この状態で上部リングを右に移動させると、ア−ムサポ−トはア−ムサポ−トアングルの一部に溶着されたつめに入り上部リングが回転できなくなり、上下動が固定される。
上部リングを左に移動させると、ア−ムサポ−トアングルの一部に溶着されたつめから出て、上部リングは回転できる状態になり２７０度回転させて支柱にぶつかってポリ袋スタンドが収納に便利な折り畳み状態になる。
下部リングも、同様の部材と機能を用意してあり開閉時には、下部リングがしっかりと支柱に固定され、ポリ袋スタンドを支えている。
【考案の効果】
【０００６】  本考案は、ポリ袋を開いた状態で自立させるスタンドで、立ったまま一人で落ち葉やごみを投入できる。また落ち葉が詰まったポリ袋を横から簡単に取り出すことができ、使用後に折りたためれば使用時の１／１０の容積で保管できる。
一般家庭のごみの清掃や公園や工事現場の清掃に役立つ器具である。
【図面の簡単な説明】
【０００７】
【図１】は、本考案に係るポリ袋スタンドの一実施例の組立図
【図２】は当該ポリ袋スタンドの上部リングの組立図
【図３】は詳細図
【図４】はポリ袋スタンドの収納図である。以下これらの図面を参照しながら、本考案の実施の形態について説明する。
【実施例】
【０００８】  図１において、上部リング１の大きさは、４５リットルのポリ袋４の内周より少なめにして、ポリ袋４の上部を折り返せるようにした。ポリ袋４を上部リング１に固定するため、５個のピンチ５で固定する。支柱３の高さは、ポリ袋４の高さより少なめにして、ポリ袋４の底が地面に接地できるようにした。
下部リング２の大きさは、ポリ袋スタンドが安定できる大きさとし、且つごみの入ったポリ袋４の重みを利用しポリ袋スタンドが安定できるように、十字渡り部材６を用意した。
ポリ袋４がごみで満杯になったき、ピンチ５を外せばポリ袋４を横から簡単に取り出せる。なお、ピンチ５は紛失しないように、図示していないひもで上部リング１に固縛されている。
なお、支柱３には上部と下部の２か所に軸受蝶番７が装着されていて、ポリ袋スタンドを収納するときに、上部リング１と下部リング２を２７０度回動させることができ、図４に示すようにポリ袋スタンドを折りたたむことができる。【０００９】  図２において、上部リング１の一部にア−ムサポ−ト８を溶着し、支柱３に装着した軸受蝶番７に当該ア−ムサポ−ト８の底部を枢着して、上部リング１が回動できるようにした。【００１０】  上部リング１が回動し、水平位置に近づいたとき、ア−ムサポ−ト８の水平部分が支柱３の上部に装着したア−ムサポ−トアングル９に接触し、それ以上回動しない。このようにして、上部リング１が水平状態を保てる。
図２の右図で破線にて例示しているように、上部リング１を持って支柱３側に倒せば、上部リング１が支柱３に当たるまで回動することができる。【００１１】  図３において、水平位置にある上部リング１を矢印のように右側に摺動するとア−ムサポ−ト８はア−ムサポ−トアングル９の上を摺動し、当該ア−ムサポ−トアングル９の２か所に溶着したつめ１０入り込んで止まる。この状態で上部リング１は回動が固定される。【００１２】  下部リング２も上部リング１と同様の機能を持ち、水平状態では支柱３および上部リング１を支える。
上部リング１と同様に下部のア−ムサポ−トアングル９の２か所に溶着したつめ１０から、下部リング２のア−ムサポ−ト８を引きだせば、当該下部リング２は２７０度回動して図４に示す収納状態になる。【００１３】  図４は、ポリ袋スタンドの収納状態を示し、おおよそ１０分の１の容積で保管でき極めて実用性のある器具である。
【符号の説明】
【００１４】  １  上部リング
２  下部リング
３  支柱
４  ポリ袋
５  ピンチ
６  十字渡り部材
７  軸受蝶番
８  ア−ムサポ−ト
９  ア−ムサポ−トアングル
１０  つめ
【図１】
0003212157.tif 000003
【図２】
0003212157.tif 000004
【図３】
0003212157.tif 000005
【図４】
0003212157.tif 000006
【手続補正書】
【提出日】平成29年6月13日(2017.6.13)
【手続補正１】
【補正対象書類名】実用新案登録請求の範囲
【補正対象項目名】全文
【補正方法】変更
【補正の内容】
【実用新案登録請求の範囲】
【請求項１】
ポリ袋をセットするためのポリ袋スタンドであって、ポリ袋を固着するための複数個のピンチを備えた上部リングと下部リングとを有し、前記上部リングが支柱を介して前記下部リングと一体化したポリ袋スタンド。
【請求項２】
ポリ袋をセットするためのポリ袋スタンドであって、
（１）上部リング及び下部リングの一部に、ア−ムサポ−ト部材を溶着し，
（２）当該ア−ムサポ−ト部材の一部を、軸受蝶番を介してそれぞれ支柱の上部付近及び下部付近に回動自在で且つ左右に摺動可能に取り付け，
（３）上部リング及び下部リングを折り畳み支柱に密着した格納状態から、上部リング及び下部リングを開き、２７０°回動したとき、
（４）それぞれのア−ムサポ−トの水平部分が、
（５）支柱の上部及び下部に取り付けられたア−ムサポ−トアングルに接触し，
（６）上部リング及び下部リングが水平に保持され，
（７）さらに上部リング及び下部リングを左右に摺動すると、
（８）各ア−ムサポ−トの水平部分が、当該ア−ムサポ−トアングルの一部に溶着されたつめに入り、上部リング及び下部リングがそれぞれ水平に維持・固定されることを特徴とする請求項１に記載のポリ袋スタンド。